(57)【要約】【課題】開封の判別ができ、かつ、コストも低く、開封しやすいチップケースを提供する。【解決手段】一方の主面に開口部を有する箱型で内部に複数のスローアウェイチップを収納する空間を有するケース本体２と、ケース本体２の開口部をふさぐ蓋体３とからなるチップケースにおいて、ケース本体２と蓋体３とを概略長方形状をなし、裏面がシール材からなる、ラベル４にて蓋体３部分からケース本体の裏面５部分にわたってラベル４の長辺が位置するようにして厳封するとともに、ラベル４の蓋体３部分またはケース本体の裏面５部分に位置する短辺１０の少なくとも一方にケース本体２に対して斜めをなす切り込み６を設ける。【選択図】　図４
2004115085.tif 000002
【特許請求の範囲】
【請求項１】
一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを裏面が粘着性を有するシール材からなる概略長方形状のラベルにて前記蓋体部分からケース本体の裏面部分にわたって前記ラベルの長辺が位置するようにして厳封するとともに、前記ラベルの前記蓋体部分またはケース本体の裏面部分に位置する短辺の少なくとも一方に前記ケース本体に対して斜めをなす切り込みを設けたことを特徴とするチップケース。
【請求項２】
前記切り込みを２つ以上設けるとともに、該切り込み同士が前記短辺から内部に向かって間隔が狭くなるハの字型をなすように配置することを特徴とする請求項１記載のチップケース。
【請求項３】
前記蓋体部および／または前記ケース本体部分に前記ラベルをチップケースに貼り付けた際に、前記切り込みの外挿線が前記ラベルの長辺に対して前記切込みがある前記蓋体部分内またはケース裏面部分内で交わるように配置することを特徴とする請求項１または２記載のチップケース。
【請求項４】
前記ラベルを剥がす際に一方の切り込みからの裂け目が、もう一方の切り込みとつながらないように２つ以上の切り込みを配することを特徴とする請求項３記載のチップケース。
【請求項５】
前記切り込みの短辺に対する角度が１０°以上あることを特徴とする請求項３または４記載のチップケース。
【請求項６】
前記切り込みの長さを前記短辺の長さの１／１０〜１／５としたことを特徴とする請求項１乃至５記載のチップケース。
【発明の詳細な説明】
【０００１】
【発明の属する技術分野】
本発明は、複数のスローアウェイチップを収納するチップケースに関する。
【０００２】
【従来の技術】
従来より、工具を収納するためのケースは、箱型で内部に複数のスローアウェイチップを収納する空間を有するケース本体と、該ケース本体の開口部をふさぐ蓋体とからなるが、蓋体が外れないようにするとともに、開封したか否かを目視できるようにラベルにてケース本体と蓋体とを厳封することが行われている。しかしながら、従来のシール材のような破けないラベルでは一度剥がしたか否かを目視で確認することが難しいことから、開封をしたかどうかの判断がつきにくく、使用済みと未使用の判別がつきにくいという問題点があった。
【０００３】
そこで、後述の特許文献１では、ラベルに切り込みをつけることで開封する際にラベルが容易に破れるようにして、そのラベルを開封したかどうかを判別することができることが記載されている。
【０００４】
また、後述の特許文献２では、ラベルを剥がすとラベルの一部分のみが基材に残るように加工し、ラベルを再度貼り直した際にラベル位置が位置ずれすることを利用して開封したかどうかを目視で容易に判別することが記載されている。
【０００５】
【特許文献１】
実開平４−１２４２７８号公報
【特許文献２】
特開平７−１４６６５１号公報
【０００６】
【発明が解決しようとする課題】
しかしながら、上記特許文献１に記載の方法では、ラベルを剥がす際に、ラベルがたびたび切れてしまい、ラベルを剥がしにくいという問題が発生してしまう。さらに、この方法をチップケースの厳封に応用する場合でも、切り込みの位置によって切り込みに沿って破れなかったり（不図示）、逆に図５に示すように切り込みに沿って破れるが開封に至らず再度残った部分を剥がして開封しなければならなくなる等の不具合が生じた。
【０００７】
また、上記特許文献２に記載の方法では、コストが高くなってしまうという問題がある。
【０００８】
本発明は上記課題を解決するためのもので、その目的は開封の判別が目視で容易にでき、かつ、コストも低く、一回の動作で開封することができるチップケースを提供することである。
【０００９】
【課題を解決するための手段】本発明者は上記の問題について検討した結果、ラベルの短辺にケース本体に対して斜めをなす切り込みを設け、前記ラベルでチップケースの蓋体からケース裏面にわたって前記ラベルの長辺が位置するようにして厳封することによって、ラベルのコストを上げることなくチップケースを開封したかどうかを目視で容易に判別することができるとともに、ラベルを一回の動作で剥がしやすくなることを知見した。
【００１０】
すなわち、本発明のチップケースは、一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを裏面が粘着性を有するシール材からなる概略長方形状のラベルにて前記蓋体部分からケース本体の裏面部分にわたって前記ラベルの長辺が位置するようにして厳封するとともに、前記ラベルの前記蓋体部分またはケース本体の裏面部分に位置する短辺の少なくとも一方に前記ケース本体に対して斜めをなす切り込みを設けたことを特徴とするものである。
【００１１】
ここで、前記切り込みを２つ以上設けるとともに、該切り込み同士が前記短辺から内部に向かって間隔が狭くなるハの字型をなすように配置すること、前記蓋体部および／または前記ケース本体部分に前記ラベルをチップケースに貼り付けた際に、前記切り込みの外挿線が前記ラベルの長辺に対して前記切込みがある前記蓋体部分内またはケース裏面部分内で交わるように配置することが望ましい。
【００１２】
また、前記ラベルを剥がす際に一方の切り込みからの裂け目が、もう一方の切り込みとつながらないように２つ以上の切り込みを配することが望ましい。
【００１３】
さらに、前記切り込みの短辺に対する角度が１０°以上あること、前記切り込みの長さを前記短辺の長さの１／１０〜１／５としたことが望ましい。
【００１４】
【発明の実施の形態】本発明のチップケースについてその分解斜視図である図１、概略斜視図である図２（（ａ）上方から見た斜視図、（ｂ）下方から見た斜視図）、ラベルの模式図である図３、およびラベルを開封したときの模式図である図４を用いて説明する。図１によれば、チップケース１は箱型で、内部に複数のスローアウェイチップを収納する空間７を有するケース本体２と、ケース本体２の開口部をふさぐ蓋体３とからなる。なお、図１によれば、空間７は仕切りによって区分けされている。
【００１５】
一方、ラベル４は、単純に引っ張っても破れない樹脂製の材質からなり、かつ裏面が接着剤にて粘着性を有するシール材からなる。また、その形状は、図３に示すように、概略長方形形状（概略帯状）からなる長辺９と短辺１０とを備えた形状からなる。
【００１６】
本発明では、ラベル４にて蓋体３部分からケース本体１の裏面５部分にわたってラベル４の長辺９が位置するようにして厳封するとともに、ラベル４の蓋体３部分またはケース本体の裏面５部分に位置する短辺１０の少なくとも一方にケース本体２に対して斜めをなす切り込み６を設けたことを大きな特徴とするものであり（図３）、それによってラベル４が裂けているかどうかでチップケースが開封されたかどうかを目視で容易に判別できるとともに、図４に示すようにラベルを剥がす際に途中でラベル４がちぎれることなくチップケース１を開封することができる。
【００１７】
ところで、チップケース１の開封方法としては、図４（ａ）に示すように切り込み６が傾いている方向と逆側にあるラベル４の角部周辺１１からラベル４の長辺９および短辺１０方向に剥がしていくと、ラベル４が切り込み６から反対の長辺９に向かって確実に裂けていく。そして、ラベル４が貼られていた蓋体３部分またはケース本体１の裏面５部分を剥がし終えた時点で、切り込み６からの裂け目が長辺９とつながることで、ラベル４が裂けてラベル４の一部が蓋体３またはケース本体２の裏側５に残るか、または、ラベル４に損傷が残りチップケース１を開封したことが確実にわかるようになる。
【００１８】
また、ラベル４を剥がす際に切り込み６からラベル４が裂けて開封が確認できるとともにラベル４が途中でちぎれたりせずに一回の動作で剥がせることが望ましい。そのため、図３に示すように切り込み６を短辺１０から内部に向かって間隔が狭くなるハの字型をなすように設けることでどの角部周辺１２からラベル４を剥がし始めても、一度の動作でラベル４を開封することができるため望ましい。なお、本発明において、ハの字型をなす２つの切り込み６の配置は、互いの長さや傾きが異なるものであってもよい。
【００１９】
さらに、より確実に一度の動作でラベル４を開封することができるため、切り込み６が蓋体３部および／またはケース本体２部分にラベル４をチップケース１に貼り付けた際に、切り込み６の外挿線がラベル４の長辺９に対してその切り込み６がある蓋体３部分内またはケース裏面５部分内で交わるように配置することが望ましい。
【００２０】
また、ラベル４を剥がす際に切り込み６の長さによって、ラベル４が切り込み６から裂けずに剥がれることなく、チップケース１の開封を確実に判別できるようにするため、切り込み６の長さを短辺１０の長さの１／１０〜１／５とすることが望ましい。
【００２１】
さらに、ラベル４に裂け目が確実にできるようにするため、切り込み６の短辺１０に対する角度を１０°以上とすることが望ましい。
【００２２】
さらに、ラベル４を剥がす際にラベル４の裂け目が切り込み６とつながってしまうとラベル４がちぎれる等の問題が発生して剥ぎにくくなるので、ラベル４を剥がす際に一方の切り込み６からの裂け目が、もう一方の切り込み６とつながらないようにハの字型をなす２つの切り込み６を配することが望ましい。
【００２３】
【発明の効果】以上詳述したとおり、本発明のチップケースによれば、チップケース本体と蓋体をラベルの蓋体部分またはケース本体の裏面部分に位置する短辺の少なくとも一方にケース本体に対して斜めをなす切り込みを設けたラベルで厳封することによって、コストを上げることなくチップケースを開封したかどうかの判別ができ、かつ、ラベルが剥がしやすくなる。
【図面の簡単な説明】
【図１】本発明のチップケース本体、蓋体およびラベルの一例を示す分解斜視図。
【図２】（ａ）本発明のチップケースの一例を示す概略上面斜視図。
（ｂ）本発明のチップケースの一例を示す概略下面斜視図。
【図３】本発明におけるハの字型の切り込みを設けたラベルの模式図。
【図４】本発明のチップケースの開封時の状態を示す概念図。
【図５】従来のチップケースの開封時の状態を示す概念図。
【符号の説明】１：チップケース
２：ケース本体
３：蓋体
４：ケース裏面
５：ラベル
６：切り込み
７：スローアウェイチップを収納する空間
８：印字
９：ラベル長辺
１０：ラベル短辺
１１：切り込みが傾いている方向と逆側にあるラベルの角部周辺
Ｌ：ラベルの蓋体またはケース本体裏側に貼りつく範囲
【図１】
2004115085.tif 000003
【図２】
2004115085.tif 000004
【図３】
2004115085.tif 000005
【図４】
2004115085.tif 000006
【図５】
2004115085.tif 000007